(57)【要約】【課題】  温度上昇による配管内の圧力の異常上昇を生じない安全性に優れた燃料供給装置を得る。【解決手段】  閉止弁３の上流と下流の間に燃料逃し管路６を設け、この燃料逃し管路６上に圧力逃し装置として圧力逃し弁４を接続する。閉止弁３の上流の燃料供給管路５内の燃料が温度上昇により設定圧力以上になると圧力逃し弁４が開いて、閉止弁３上流の燃料を下流に放出することにより、閉止弁３上流側管路の配管および配管部品を保護する。【選択図】  図１
0003104298.tif 000002
【実用新案登録請求の範囲】
【請求項１】
エンジンなどの液体燃料を使用する産業機械において、燃料貯油槽に貯蔵してある液体燃料を燃料小出槽に搬送する燃料供給管路が、上流から順に逆止弁、燃料供給ポンプおよび閉止弁を具えており、閉止弁の上流側の圧力が安全上から設定されている圧力値より高い圧力となった時に動作する圧力逃し装置を備えた燃料逃し管路が前記閉止弁をバイパスさせて設けられていることを特徴とする燃料供給装置。
【請求項２】
請求項１に記載の燃料供給装置において、前記圧力逃し装置として閉止弁の上流側の圧力が開弁のための設定圧力値より高くなると開き、閉弁のための設定圧力値以下になると閉じる圧力逃し弁を用いることを特徴とする燃料供給装置。
【請求項３】
請求項１に記載の燃料供給装置において、前記圧力逃し装置として開閉弁を用い、さらに閉止弁上流側の圧力を検知する圧力検知手段と、
この圧力検知手段の検知圧力が開弁のための設定圧力値以上になると前記開閉弁を開き、検知圧力が閉弁のための設定圧力値以下になると前記開閉弁を閉じる制御手段と、
を設けたことを特徴とする燃料供給装置。
【考案の詳細な説明】
【技術分野】
【０００１】  本考案は、エンジンなどの液体燃料を使用する産業機械において、液体燃料を燃料貯油槽から燃料小出槽に搬送する燃料供給装置に関するものである。
【背景技術】
【０００２】  燃料供給管路において、複数の閉止弁などのバルブによって閉鎖状態となった燃料供給管路領域内部の液体燃料の温度が設置環境の変化などにより上昇すると、この閉鎖された燃料供給管路領域内が異常昇圧状態となり、燃料供給管路の配管や配管部品の破損にいたることがしばしばある。
この際に、燃料供給管路に使用される可撓管、可撓継手などではこの異常昇圧による液体燃料の膨張量を吸収できない。また、安全弁を設置することにより高圧になった液体燃料を逃がす方法もとられているが、燃料供給のための配管経路が複雑となりコストも増加する。
【考案の開示】
【考案が解決しようとする課題】
【０００３】  本考案は、液体燃料を燃料貯油槽から燃料小出槽に搬送するにあたり、燃料供給ポンプ停止後に閉止弁を閉じることにより構成される、閉鎖された燃料供給管路内領域において、液体燃料が充満した状態で温度が上昇した場合に発生する異常昇圧状態によって引き起こされる、燃料供給管路の配管や配管部品の破損防止という前記課題を解決するためになされたものであって、その目的とするところは、燃料供給管路の高耐圧化や、燃料供給管路の過度な増加を要することなく、簡便な構成によって安全性に優れた燃料供給装置を提供することにある。
【課題を解決するための手段】
【０００４】  請求項１の考案は、前記従来の課題を解決するために、その途中に逆止弁、燃料供給ポンプおよび閉止弁を順に設置した燃料貯油槽から燃料小出槽へ液体燃料を搬送する燃料供給管路において、前記閉止弁をバイパスさせて燃料逃し管路を設け、この燃料逃し管路には、前記逆止弁と閉止弁との間で閉鎖される領域における液体燃料の圧力が、安全上から設定されている圧力値より高い圧力になると動作する圧力逃し装置を設置した燃料供給装置を提案するものである。【０００５】  請求項２の考案の燃料供給装置は、請求項１における圧力逃し装置として、前記閉鎖領域内の液体燃料の圧力が開弁のための設定圧力値より高くなると開き、閉弁のための設定圧力値以下になると閉じる圧力逃し弁を用いる。【０００６】  請求項３の考案の燃料供給装置は、請求項１において、圧力逃し装置として開閉弁を用いるとともに、閉止弁上流側の圧力を検知する圧力検知手段を設け、この圧力検知手段の検知圧力が開弁のための設定圧力値以上のとき上記開閉弁を開き、検知圧力が閉弁のための設定圧力値以下のとき上記開閉弁を閉じる制御手段を設ける。
【考案の効果】
【０００７】  本考案によれば、燃料供給管路における閉止弁の上流側管路部分を高価な高耐圧化仕様とする必要がなく、簡単な構成で燃料供給ポンプ停止後に閉止弁を閉じた後、この閉止弁と逆止弁の間の異常昇圧状態を安全に回避できる。したがって燃料供給管路の信頼性を高めることができる。
【実施例１】
【０００８】  図面を参照して本考案の第１実施例について説明する。図１に示すように、燃料貯油槽１から、エンジンなどの産業機械の運転時に液体燃料を供給するために設置した燃料小出槽２に至る燃料供給管路５に逆止弁８、燃料供給ポンプ７および閉止弁３が順に設けられている。
また、燃料供給管路５には、この燃料供給管路５に可撓性を与えるための可撓継手９が設けられている。【０００９】  更に、燃料供給管路５には、閉止弁３の上流側で分岐して閉止弁３の下流側で合流する燃料逃し管路６がバイパスして設けられており、この燃料逃し管路６には圧力逃し弁４が設けられている。【００１０】  逆止弁８は、燃料供給ポンプ７稼動時には開き、燃料供給ポンプ７停止時には閉じる機構を持つ、燃料供給ポンプ７の上流側の液体燃料を管路内に留めておくために燃料供給管路５の燃料貯油槽１出口部に設けられたスイング式またはリフト式のチャッキ弁とも呼ばれる逆流防止弁である。【００１１】  閉止弁３は電気駆動であり、燃料供給ポンプ７運転停止後における燃料小出槽２への液体燃料の余剰供給およびこれによる燃料小出槽２からの液体燃料のあふれを防止するとともに、燃料貯油槽１の液体燃料液面が燃料小出槽２の液体燃料液面より高い場合に、燃料供給ポンプ７停止時において、燃料貯油槽１と燃料小出槽２との液体燃料液面高低差から生ずる「サイフォンの原理」として知られる現象による燃料貯油槽１から燃料小出槽２への自然供給を防止するために設けられており、図１には記載していない電気または電子式制御装置からの指令により所定の動作を行なうものであり、閉止弁３は燃料供給ポンプ７の運転、停止に合わせ燃料供給管路５を開閉する。【００１２】  燃料供給の開始にあたっては、図１には記載していない電気または電子式制御装置からの指令によって閉止弁３が開弁状態とされるとともに燃料供給ポンプ７が運転を開始し、燃料供給ポンプ７で燃料貯油槽１から吸入され加圧された液体燃料が燃料供給管路５を経由して燃料小出槽２に搬送される。なお、逆止弁８は、燃料供給ポンプ７運転時には自動的に開弁する。【００１３】  燃料供給ポンプ７運転中は燃料供給管路５の内部には液体燃料が安定した状態で充満している。一方、圧力逃し弁４は燃料供給ポンプ７の吐出圧力Ｐｆでは開弁しないように設定されており、燃料供給ポンプ７運転中は燃料逃し管路６を閉止している。【００１４】  燃料供給の停止に際しては、図１には記載していない電気または電子式制御装置からの指令によって燃料供給ポンプ７の運転を停止するとともに、閉止弁３を閉弁動作させる。これらの動作は若干の時間差はあるもののほぼ同時に行なわれる。
なお、逆止弁８は、燃料供給ポンプ７停止時には自動的に閉弁する。【００１５】  このようにすると、燃料供給管路５の逆止弁８、閉止弁３および圧力逃し弁４によって閉鎖された領域内に燃料供給ポンプ７の吐出圧力に近い圧力を保持した液体燃料が充満封入されることとなる。【００１６】  一方、燃料供給管路５の最下流にある燃料小出槽２への注油口１０は、燃料小出槽２の液体燃料貯蔵最高位レベルよりも上部に、すなわち大気開放状態で燃料小出槽２に取付けられており、したがって燃料供給停止中においては燃料供給管路５の閉止弁３の下流側および燃料逃し管路６内の液体燃料の圧力は大気圧とほぼ同じである。【００１７】  燃料供給ポンプ７の吐出圧力Ｐｆがたとえば０．３４ＭＰａであった場合には、安全上、圧力逃し弁４の開弁のための設定圧力Ｐｂとして０．５ＭＰａを選定している。
また圧力逃し弁４の閉弁のための設定圧力Ｐａとしては、燃料供給ポンプ７の吐出圧力Ｐｆと圧力逃し弁４の開弁のための設定圧力Ｐｂの中間の値、たとえば０．４２ＭＰａを選定している。【００１８】  燃料供給ポンプ７稼動中には圧力逃し弁４は、その開弁のための設定圧力Ｐｂが燃料供給ポンプ７の吐出圧力Ｐｆ以上であるので開弁せず、燃料逃し管路６を閉止している。【００１９】  燃料供給停止後に上記逆止弁８、閉止弁３および圧力逃し弁４によって閉鎖された管路領域内部の温度が設置環境の変化などにより上昇すると、封入されている液体燃料が加熱されて膨張しようとする。しかし、前記閉鎖された管路領域の容積は一定であって等積変化のために圧力が急激に上昇する。【００２０】  上記逆止弁８、閉止弁３および圧力逃し弁４によって閉鎖された管路領域内の圧力が、安全上から設定されている圧力逃し弁４の開弁のための設定圧力Ｐｂ以上になると、圧力逃し弁４が開く。圧力逃し弁４が開くことによって、上記閉鎖された管路領域内の高圧液体燃料はほぼ大気圧と同じ圧力状態の燃料逃し管路６へ放出され、上記閉鎖された管路領域内の液体燃料の圧力は低下する。
圧力逃し弁４が開いた後、上記閉鎖された管路領域内の液体燃料の圧力が圧力逃し弁４の閉弁のための設定圧力Ｐａ以下になると、圧力逃し弁４が閉じる。
この圧力逃し弁４の開閉動作は、上記閉鎖された管路領域内の液体燃料の圧力の変化に従って繰り返される。【００２１】  したがって、燃料供給ポンプ７の運転停止後においては上記閉鎖された管路内で圧力上昇があっても、液体燃料の圧力は常に圧力逃し弁４の閉弁のための設定圧力Ｐａと圧力逃し弁４の開弁のための設定圧力Ｐｂの間の圧力に保持されることになり、異常昇圧状態を安全に回避する。
即ち、圧力逃し弁４は燃料供給停止中の燃料供給管路５の配管や配管部品を保護する安全用の圧力レギュレータとして働く。
【実施例２】
【００２２】  図面を参照して本考案の第２実施例について説明する。第２実施例では図２に示すように、第１実施例において具備していた圧力逃し弁４に代えて開閉弁２４を設け、さらに燃料供給管路５の閉止弁上流側の圧力を検知する圧力検知センサー２１と、開閉弁制御装置２２およびこの開閉弁制御装置２２の指令により前記開閉弁２４を開閉するアクチュエータ２３を設けている。
他の構成は、第１実施例と同じである。【００２３】  開閉弁２４は燃料供給ポンプ７の吐出圧力Ｐｆ２では開弁しないように設定されている。燃料供給ポンプ７稼動中には、開閉弁２４の開弁のための設定圧力Ｐｂ２が燃料供給ポンプ７の吐出圧力Ｐｆ２以上であるので開閉弁２４を開弁しないように開閉弁制御装置２２が制御しており、燃料逃し管路６は閉止されている。【００２４】  燃料供給停止後に逆止弁８、閉止弁３が閉じて、燃料供給管路５において逆止弁８、閉止弁３および開閉弁２４によって閉鎖された管路領域内部の温度が設置環境の変化などにより上昇すると、封入されている液体燃料が加熱されて膨張しようとする。しかし、前記閉鎖された管路領域の容積は一定であって等積変化のために圧力が急激に上昇する。【００２５】  燃料供給ポンプ７の吐出圧力Ｐｆ２がたとえば０．３４ＭＰａであった場合には、安全上、開閉弁２４の開弁のための設定圧力Ｐｂ２として０．５ＭＰａを選定している。
また開閉弁２４の閉弁のための設定圧力Ｐａ２としては、燃料供給ポンプ７の吐出圧力Ｐｆ２と開閉弁２４の開弁のための設定圧力Ｐｂ２の中間の値、たとえば０．４２ＭＰａを選定している。【００２６】  開閉弁制御装置２２は、閉止弁３上流側の前記閉鎖された領域内の圧力を常に圧力検知センサー２１からの信号を取り込んで検知し、安全上から設定されている開閉弁２４の開弁値として設定した圧力Ｐｂ２以上になると、開閉弁２４を開けるようにアクチュエータ２３に指令を出す。
これにより開閉弁２４が開き、上記閉鎖された管路領域内の高圧液体燃料はほぼ大気圧と同じ圧力状態の燃料逃し管路６へ放出され、上記閉鎖された管路領域内の液体燃料の圧力は低下する。【００２７】  開閉弁制御装置２２は、その後も閉止弁３上流側の前記閉鎖された領域内の圧力を圧力検知センサー２１からの信号を取り込んで検知し、開閉弁２４の閉弁値として設定した圧力Ｐａ２以下になると、開閉弁２４を閉じるようにアクチュエータ２３に指令を出す。
この開閉弁２４の開閉動作は、上記閉鎖された管路領域内の液体燃料の圧力の変化に従って繰り返される。【００２８】  したがって、燃料供給ポンプ７の運転停止後においては上記閉鎖された管路内で圧力上昇があっても、液体燃料の圧力は常に開閉弁２４の閉弁のための設定圧力Ｐａ２と開閉弁２４の開弁のための設定圧力Ｐｂ２の間の圧力に保持されることになり、異常昇圧状態を安全に回避する。
【図面の簡単な説明】
【００２９】
【図１】本考案の第１実施例の形態を示す配置図である。
【図２】本考案の第２実施例の形態を示す配置図である。
【符号の説明】
【００３０】  １  燃料貯油槽
２  燃料小出槽
３  閉止弁
４  圧力逃し弁
５  燃料供給管路
６  燃料逃し管路
７  燃料供給ポンプ
８  逆止弁
９  可撓継手
１０  注油口
２１  圧力検知センサー
２２  開閉弁制御装置
２３  アクチュエータ
２４  開閉弁
【図１】
0003104298.tif 000003
【図２】
0003104298.tif 000004